(57)【特許請求の範囲】
【請求項１】
それぞれ別体に形成した棒状の縦握り手摺と棚状の横手つき手摺とを、Ｔ字状若しくは十字状に組み合わせて壁面に取り付けることで、使用者から見て左右どちらの壁面に対しても対応可能とした組み合わせ手摺であって、前記縦握り手摺の中間部を、前記壁面とは反対側の側方に屈曲若しくは湾曲させて、その上部側を上握り部とし、同じく下部側を上握り部よりも外方に離間した下握り部とするとともに、この下握り部と壁面との間の隙間に、縦握り手摺がその横手つき手摺を跨ぎ、且つ、下握り部の握り部分がこの横手つき手摺よりも下方へ突出するような状態で、横手つき手摺を取り付けることを特徴とする縦握り手摺と横手つき手摺との組み合わせ手摺。
【発明の詳細な説明】
【０００１】
【発明の属する技術分野】
本発明は、トイレや浴室、玄関等の壁面に取り付けられる縦握り手摺と横手つき手摺とを組み合わせた手摺に関する。
【０００２】
【従来の技術】
近年、トイレ等に使用される手摺として、図７に示すように、垂直方向に延びる棒状の縦握り手摺（４０）と、水平方向に延びる棚板状の横手つき手摺（４１）とを連結した棚型手摺が商品化されている。この棚型手摺の場合には、縦握り手摺（４０）を握るといった使い方だけでなく、横手つき手摺（４１）の上面に手をつくといった使い方も可能となっている。
【０００３】
【発明が解決しようとする課題】
しかしながら、上記の棚型手摺の場合、右利きの使用者が使い易いように、使用者から見て右側の壁面にのみ対応した構造となっていた。仮に、この棚型手摺を使用者から見て左側の壁面に取り付けた場合には、縦握り手摺（４０）が横手つき手摺（４１）の後端部側に位置し、縦握り手摺（４０）が邪魔になって横手つき手摺（４１）における手つき動作が非常にやり難くなってしまう。従って、使用者から見て左側の壁面に取り付ける場合には、左側の壁面に対応した別の構造の棚型手摺を用意する必要があり、コスト高を招いていた。
【０００４】
本発明は、上記の不具合を解消して、使用者から見て左右のどちらの壁面にも対応させることができ、見た目も良好な縦握り手摺と横手つき手摺との組み合わせ手摺の提供を目的とする。
【０００５】
【課題を解決するための手段】
上記課題を解決するため、本発明の組み合わせ手摺は、まず、それぞれ別体に形成した棒状の縦握り手摺と棚状の横手つき手摺とを、Ｔ字状若しくは十字状に組み合わせて壁面に取り付けることで、使用者から見て左右どちらの壁面に対しても対応可能とした組み合わせ手摺である。
【０００６】
そして、本発明では、このような構成において、前記縦握り手摺の中間部を、前記壁面とは反対側の側方に屈曲若しくは湾曲させて、その上部側を上握り部とし、同じく下部側を上握り部よりも外方に離間した下握り部とするとともに、この下握り部と壁面との間の隙間に、縦握り手摺がその横手つき手摺を跨ぎ、且つ、下握り部の握り部分がこの横手つき手摺よりも下方へ突出するような状態で、横手つき手摺を取り付けることを特徴とする。
【０００７】
【発明の実施の形態】
図１は、本発明の一実施形態に係る組み合わせ手摺を右側壁面に対応して取り付けたときの状態を示す斜視図、図２は、同じくその分解斜視図、図３は、同じくその側面図、図４は、同じくその正面図、図５は、組み合わせ手摺を左側壁面に対応して取り付けたときの状態を示す斜視図である。
【０００８】
本実施形態に係るトイレ用の組み合わせ手摺は、それぞれ別体に形成された棒状の縦握り手摺（１）と棚状の横手つき手摺（２）とを適宜組み合わせた状態で、トイレの便器（３）の側方に位置する壁面（４）に取り付けるようになっている。なお、図１乃至図４に示す壁面（４）は、いずれも使用者すなわち便器（３）に座った人から見て右側に配置されている。
【０００９】
縦握り手摺(１)は、その中央やや下方が壁面(４)とは反対側の側方に向かって湾曲されており、この湾曲部(５)を挟んで上側の上握り部(６)が、壁面(４)と直交する一対の棒状短尺ブラケット(７)(７)を介して壁面(４)に固定され、湾曲部(５)を挟んで下側の下握り部(８)が、壁面(４)と直交する棒状長尺ブラケット(９)を介して壁面(４)に固定されている。従って、この縦握り手摺(１)は、上握り部(６)よりも下握り部(８)の方が壁面(４)に対して離間して配されている。そして、この下握り部(８)と壁面(４)との間には、横手つき部(２)を配置可能とする隙間(10)が確保され、また、下握り部(８)は、その握り部分が図のように横手つき部(２)よりも下方に突出している。
【００１０】
横手つき手摺（２）は、平面視長方形の棚板部（１１）と、この棚板部（１１）の壁面（４）とは反対側の端部に沿って一体的に形成された横棒部（１２）と、棚板部（１１）の前後の端部に取り付けられる端部カバー（１３）（１３）とからなる。そして、横棒部（１２）は、横握り用の手摺として機能するだけでなく、棚板部（１１）の上面よりも上方に突出して、棚板部（１１）上の載置物が転がり落ちるのを防止するストッパーとしても機能する。また、端部カバー（１３）（１３）は、その上部が外方に膨出しており、この膨出部分に手を引っ掛けることができるようになっている。なお、端部カバー（１３）（１３）の膨出部分は、丸みをもたせるようにＲ加工が施されており、手を掛けたときに痛くないようにしている。
【００１１】
この横手つき手摺（２）は、その壁面（４）側の端部に沿って形成された横溝（２０）に、壁面（４）にビス（２１）（２１）…止めした横材（２２）を嵌め込むとともに、下方からの複数のビス（２３）（２３）…によって壁面（４）側の端部を横材（２２）に固定することで、壁面（４）に取り付けられるようになっている。
【００１２】
そして、上記の組み合わせ手摺は、縦握り手摺（１）の下握り部（８）と壁面（４）との間の隙間（１０）に、横手つき手摺（２）を差し入れるようにして、縦握り手摺（１）が横手つき手摺（２）を跨いだ状態で、これらが十字状に組み合わされて壁面（４）に取り付けられる。また、図５に示すように、使用者から見て左側の壁面（３０）に対しても、右側の壁面（４）に取り付ける場合と同様に取り付けることができる。このとき、横手つき手摺（２）は、右側に取り付ける場合とは前後逆になるが、棚板部（１１）の前後端部には同形状の端部カバー（１３）（１３）がそれぞれ取り付けられているので、右側と何ら変わりなく取り付けることができる。
【００１３】
なお、本発明は、上記実施形態に限定されるものではない。例えば、本発明の組み合わせ手摺は、トイレ用に限定されるものではなく、玄関用や浴室用として適用しても良い。また、縦握り手摺と横手つき手摺とは、十字状に組み合わせるだけでなく、例えばＴ字状に組み合わせるようにしても良い。さらに、縦握り手摺は、湾曲させずに単に垂直方向に真っ直ぐ延びたものであっても良い。
【００１４】
さらにまた、縦握り手摺（１）を横手つき手摺（２）に対して着脱可能に連結しても良い。具体的には、図６に示すように、横手つき手摺（２）の壁面（４）と反対側の端部に一対の嵌合孔（３１）（３１）を形成して、この嵌合孔（３１）（３１）のいずれかに縦握り手摺（１）から突出した連結材（３２）を着脱可能に嵌め込むようにする。これによって、左右のどちらの壁面にも対応可能とさせて、縦握り手摺（１）と横手つき手摺（２）とを連結した状態で取り付けることができ、組み合わせ手摺の取付強度を高めることができる。しかも、この場合、横手つき手摺（２）を縦握り手摺（１）のブラケットとして兼用することも可能となる。
【００１５】
【発明の効果】
以上の説明から明らかなように、本発明の組み合わせ手摺は、それぞれ別体に形成した棒状の縦握り手摺と棚状の横手つき手摺と組み合わせることによって構成されて、使用者から見て左右どちらの壁面に対しても対応可能とされているので、従来のように右側の壁面と左側の壁面に対してそれぞれ構造の異なる手摺を用意する必要がなく、これによってコストダウンを図ることができる。しかも、縦握り手摺と横手つき手摺の配置位置をそれぞれ単独で調整することができ、使用者に合ったより使い易い手摺を提供することができる。
【００１６】
また、縦握り手摺が横手つき手摺を跨ぐようにして取り付けることによって、これら別体の手摺をコンパクトに組み合わせて、壁面における手摺の配置スペースを小さくすることができる。しかも、別体でありながら、これら縦握り手摺と横手つき手摺との間に一体感を持たせて、意匠性を向上することができる。
【００１７】
さらに、縦握り手摺の中間部を、壁面とは反対側の側方に屈曲若しくは湾曲させて、縦握り手摺と壁面との間に横手つき手摺を配置できるようにしているので、この中間部を挟んだ上下のいずれかが、壁面側に近接して壁面からの張り出しが小さくなり、これによって省スペース化を図ることができる。
【図面の簡単な説明】
【図１】本発明の一実施形態に係る組み合わせ手摺を右側壁面に対応して取り付けたときの状態を示す斜視図である。
【図２】同じくその分解斜視図である。
【図３】同じくその側面図である。
【図４】同じくその正面図である。
【図５】組み合わせ手摺を左側壁面に対応して取り付けたときの状態を示す斜視図である。
【図６】他の実施形態に係る組み合わせ手摺を右側壁面に対応して取り付けたときの状態を示す斜視図である。
【図７】従来の棚型手摺を示す斜視図である。
【符号の説明】
(１)  縦握り手摺
(２)  横手つき手摺
(４)  右側の壁面
(６)  上握り部
(８)  下握り部
(10)  隙間
(30)  左側の壁面
【図１】
0003618564.tif 000002
【図２】
0003618564.tif 000003
【図３】
0003618564.tif 000004
【図４】
0003618564.tif 000005
【図５】
0003618564.tif 000006
【図６】
0003618564.tif 000007
【図７】
0003618564.tif 000008